(57)【要約】【課題】設定を直ぐに変更することができ、しかも、メモリカードに設けられているデータベースにおける設定内容と、データベース作成装置に設けられているデータベースにおける設定内容とを、早期に整合させることができる火災受信機を提供することを目的とする。【解決手段】第１のデータベースを格納し、上記第１のデータベースの読み書きが自在である記憶媒体であって不揮発性の記憶媒体を着脱する着脱部と、上記第１のデータベースの設定内容を変更し、この変更された第１のデータベースを記憶媒体に上書きするデータベース変更手段と、上記第１のデータベースにおける設定内容が変更されると、上記変更された設定内容を、データベース作成装置に設けられている第２のデータベースにアップロードすることを、ユーザに要求するために報知するアップロード要求報知手段とを有する。【選択図】図２
2007316796.tif 000002
【特許請求の範囲】
【請求項１】
第１のデータベースを格納し、上記第１のデータベースの読み書きが自在である記憶媒体であって不揮発性の記憶媒体を着脱する着脱部と；
上記第１のデータベースの設定内容を変更し、この変更された第１のデータベースを記憶媒体に上書きするデータベース変更手段と；
上記第１のデータベースにおける設定内容が変更されると、上記変更された設定内容を、データベース作成装置に設けられている第２のデータベースにアップロードすることを、ユーザに要求するために報知するアップロード要求報知手段と；
を有することを特徴とする火災受信機。
【請求項２】
請求項１において、
上記記憶媒体は、メモリカードであり、
上記着脱部は、スロットであり、
上記データベース変更手段は、入力手段と表示手段および主制御ユニットとであることを特徴とする火災受信機。
【請求項３】
請求項１において、
上記報知手段は、アップロード要求用アイコンであることを特徴とする火災受信機。
【請求項４】
請求項２において、
上記スロットから上記メモリカードが取り外されたときに、または、上記スロットから上記メモリカードが取り外され、この取り外されたメモリカードが上記スロットに再挿着されたときに、上記アップロード要求報知手段による報知を停止することを特徴とする火災受信機。
【発明の詳細な説明】
【技術分野】
【０００１】
本発明は、火災受信機側でメモリカード内のデータベースの設定変更を行った場合に、データベース作成装置側のデータベースを、火災受信機側のデータベースに合わせて変更させる火災報知受信機に関する。
【背景技術】
【０００２】
従来の防災受信機に、読み書き自在でかつ不揮発性のメモリカードが用いられ、このメモリカードに連動情報等のデータベースが格納されている火災受信機が知られている（たとえば、特許文献１参照）。
【０００３】
この従来の火災受信機において、各種の設定を行う場合、専用のツール（データベース作成装置）を使用してデータを入力し、この入力されたデータを、火災受信機に装着するメモリカードへ書き込み、この書込が終ったメモリカードを火災受信機に挿入する。これによって、新たな内容が、火災受信機に設定される。
【０００４】
たとえば、印字の向きを変えるために、印字の向きに関する設定を変更する場合、メモリカードを火災受信機から外し、この外したメモリカードをデータベース作成装置に挿入し、このデータベース作成装置を使用して、印字の向きを変える設定内容を入力し、この入力した新たな設定内容がメモリカードに書き込まれ、データベース作成装置からメモリカードを取り出し、火災受信機に挿入し直す。これによって、印字の向きを変える設定変更が終了する。
【０００５】
また、ユーザからの要望に応じて、所定の設定内容を、データベース作成装置に入力し、データベース作成装置に設けられているデータベースに格納し、この格納されている設定内容を、上記メモリカードに書き込み直し、このメモリカードを、火災受信機に再び取り付ける。
【０００６】
このように、従来の火災受信機では、データベース作成装置を用いて設定変更し、この変更されたデータベースは、火災受信機のメモリカード内のみでなく、データベース作成装置にも残すことができ、簡単にバックアップすることができる。
【特許文献１】特開２００５−０３２０２５号公報
【発明の開示】
【発明が解決しようとする課題】
【０００７】
上記従来の火災受信機において、所定の設定を直ぐに変更するには、火災受信機の盤面を操作することによって、上記所定の設定の変更を、メモリカードに設けられているデータベースに格納する。
【０００８】
そして、必要な時期に、メモリカードに格納された新たな設定内容を、データベース作成装置に設けられているデータベースにアップロードする。
【０００９】
ところで、物件の間仕切りを変更する等によって、連動情報を変更する場合があり、たとえば、盤面操作によって変更できない場合には、データベース作成装置を使用して、連動情報に関する設定内容を変更する場合がある。つまり、データベース作成装置に設けられているデータベースを変更し、その後、この変更されたデータベースを、上記メモリカードに設けられているデータベースに移す。この場合、連動情報に関する設定内容を変更する前に、火災受信機の盤面操作によって、メモリカードに設けられているデータベースにおける設定内容を変更している（たとえば、印字方向の設定を変更している）と、印字方向の設定の変更情報が消えるという問題がある。
【００１０】
本発明は、設定を直ぐに変更することができ、しかも、メモリカードに設けられているデータベースにおける設定内容と、データベース作成装置に設けられているデータベースにおける設定内容とを、早期に整合させることができる火災受信機を提供することを目的とするものである。
【課題を解決するための手段】
【００１１】
本発明は、第１のデータベースを格納し、上記第１のデータベースの読み書きが自在である記憶媒体であって不揮発性の記憶媒体を着脱する着脱部と、上記第１のデータベースの設定内容を変更し、この変更された第１のデータベースを記憶媒体に上書きするデータベース変更手段と、上記第１のデータベースにおける設定内容が変更されると、上記変更された設定内容を、データベース作成装置に設けられている第２のデータベースにアップロードすることを、ユーザに要求するために報知するアップロード要求報知手段とを有する火災受信機である。
【発明の効果】
【００１２】
本発明によれば、設定を直ぐに変更することができ、しかも、メモリカードに設けられているデータベースにおける設定内容と、データベース作成装置に設けられているデータベースにおける設定内容とを、早期に整合させることができるという効果を奏する。
【発明を実施するための最良の形態】
【００１３】
発明を実施するための最良の形態は、以下の実施例である。
【実施例１】
【００１４】
図１は、本発明の実施例１である火災受信機ＲＥ１を示すブロック図である。
【００１５】
火災受信機ＲＥ１は、ＰＳＵ基板１０と、プリンタＰＲ１と、ＯＰＯ基板Ｂ１と、ＯＰＩＮ基板Ｂ２と、ＯＰＰＳ基板Ｂ３、Ｂ４と、ＮＩＵ基板（ホスト接続用基板）Ｂ５と、ＭＣＵ基板２０と、スピーカＳＰ１と、インバータＩＮＶ１と、タッチパネルＴＰとして作用するＬＣＤ３０と、電話ジャックＪ１と、ＣＴＵ基板（伝送基板）Ｂ６〜Ｂｎと、ＡＣ／ＤＣ電源ＡＣ／ＤＣと、予備電源ＢＴとを有する。
【００１６】
ＰＳＵ基板１０は、ＡＣ／ＤＣ電源ＡＣ／ＤＣとしてのＡＣ／ＤＣコンバータによってＡＣ１００Ｖから生成された直流電圧、ＤＣ２４Ｖを各基板１０、２０、Ｂ３〜Ｂｎに電源供給する基板であり、また、ＯＰＯ基板Ｂ１、ＯＰＩＮ基板Ｂ２に対して、移報を制御する基板である。ＭＣＵ基板２０は、主制御ユニット基板であり、表示部・メイン処理用の基板であり、メモリカードＭＣ１が挿入、接続され、ディップスイッチＳＷ１と、スロットＳＬ１とが設けられている。
【００１７】
ディップスイッチＳＷ１は、着脱状態入力手段の一例であり、火災受信機ＲＥ１に対するメモリカードＭＣ１の着脱状態を示すスイッチである。なお、ディップスイッチＳＷ１のＯＮは、メモリカードＭＣ１が火災受信機ＲＥ１から脱却されていることを示す。逆に、ディップスイッチＳＷ１のＯＦＦは、メモリカードＭＣ１が火災受信機ＲＥ１に装着されていることを示す。
【００１８】
スロットＳＬ１は、メモリカードＭＣ１を着脱するスロットである。
【００１９】
また、ＭＣＵ基板２０は、火災受信機ＲＥ１に対するメモリカードＭＣ１の着脱状態を監視する着脱状態監視手段の例である。ＯＰＯ基板Ｂ１は、移報出力用基板である。ＯＰＩＮ基板Ｂ２は、移報入力用基板である。
【００２０】
ＯＰＰＳ基板Ｂ３、Ｂ４は、ＣＴＵ基板Ｂ６〜Ｂｎと伝送線（不図示）を介して接続された端末（不図示）の電源供給用基板であり、端末の一例の中継器Ｃ１〜Ｃ８（不図示）の２次側に接続された端末（たとえば地区ベルＢＬ）に電源を供給する基板である。ＮＩＵ基板Ｂ５は、ホスト接続用基板であり、ホスト伝送線を介して、ディスプレイシステムＤＰ１（不図示）と接続される基板である。
【００２１】
インバータＩＮＶ１は、ＬＣＤ３０のバックライトを駆動する電源を制御するものである。
【００２２】
タッチパネルＴＰとして作用するＬＣＤ３０は、入力および表示手段の例である。
【００２３】
ＣＴＵ基板Ｂ６〜Ｂｎは、端末と接続する伝送基板であり、２系統分の伝送線を制御する。
【００２４】
ＡＣ／ＤＣ電源ＡＣ／ＤＣは、商用交流電源ＡＣ１００Ｖを所定の直流電圧、ＤＣ２４Ｖの電源電圧に変換してＰＳＵ基板１０に出力するものである。予備電源ＢＴとしてのバッテリは、ＡＣ１００Ｖによって、ＰＳＵ基板１０、トランス、充電回路を介して常時充電され、ＡＣ１００Ｖの停電時に、ＡＣ／ＤＣ電源ＡＣ／ＤＣの代わりに、直流電圧ＤＣ２４ＶをＰＳＵ基板１０に供給する。
【００２５】
実施例１においては、メモリカードＭＣ１は、第１のデータベースを格納し、この第１のデータベースの読み書きが自在である記憶媒体であって不揮発性の記憶媒体の例である。
【００２６】
また、実施例１には、記憶媒体を着脱する着脱部と、上記第１のデータベースの設定内容を変更し、この変更された第１のデータベースを記憶媒体に上書きするデータベース変更手段と、上記第１のデータベースにおける設定内容が変更されると、上記変更された設定内容を、図４に示すデータベース作成装置６０に設けられている第２のデータベースにアップロードすることを、ユーザに要求するために報知するアップロード要求報知手段とが設けられている。
【００２７】
この場合、上記記憶媒体は、メモリカードＭＣ１である。メモリカードＭＣ１は、第１のデータベースを格納し、上記第１のデータベースの読み書きが自在である記憶媒体であって不揮発性の記憶媒体の例である。
【００２８】
上記着脱部は、スロットＳＬ１であり、上記データベース変更手段は、盤面操作手段であるタッチパネルＴＰとして作用するＬＣＤ３０と、ＭＣＵ基板２０とである。また、上記報知手段は、アップロード要求用アイコン５０である。
【００２９】
次に、上記実施例の動作について説明する。
【００３０】
図２は、実施例１において、アップロード要求の動作を示すフローチャートである。
【００３１】
図３は、実施例１におけるＬＣＤ３０の表示例を示す図である。
【００３２】
図４は、データベース作成装置６０を示すブロック図である。
【００３３】
データベース作成装置６０は、火災報知設備のデータベース作成システムの例であり、汎用パソコン等によって構成され、スロットＳＬ２と、入力部６１と、表示部６２と、データベース作成部６３と、記憶部６４とを有する。
【００３４】
スロットＳＬ２は、メモリカードＭＣ１を着脱可能なスロットである。データベース作成部６３は、第２のデータベースを作成する。記憶部６４は、作成された第２のデータベースを記憶するメモリであり、ハードディスク等で構成されている。
【００３５】
平常監視状態では、まず、Ｓ１で、各種設定を変更する。つまり、火災受信機ＲＥ１の盤面（ＬＣＤ３０）を操作することによって、各種の設定に関する変更内容を入力する。設定内容によっては、パスワードを入力する。上記各種設定の内容は、オプションのメッセージの内容の設定、印字方向の設定、音声の有無の設定等である。この設定の変更内容が入力されると、ＭＣＵ基板２０の図示しないＲＡＭに、上記入力された変更内容が一時的に記憶される。
【００３６】
Ｓ２で、入力された変更内容が重要な設定内容であるかどうかを判断する。変更した内容が重要な設定内容であれば、Ｓ３で、変更内容をメモリカードＭＣ１に記録する（設定内容を書き換える）。
【００３７】
重要ではない設定を変更した場合は、Ｓ１に戻る。たとえば、自動試験の日時の設定を変更した場合には、この変更が重要ではない設定の変更であるので、Ｓ１に戻る。
【００３８】
図５は、アップロード要求用アイコン５０の例を示す図である。
【００３９】
重要な設定内容を変更した後に、Ｓ４で、アップロード要求用アイコン５０をＬＣＤ３０上の所定の位置に表示する。このアップロード要求用アイコン５０は、メモリカードＭＣ１に格納されている第１のデータベースにおける設定内容が変更されると、「変更された設定内容を、データベース作成装置６０に設けられている第２のデータベースにアップロードすること」を、ユーザに要求するために報知するアイコンである。
【００４０】
そして、Ｓ５で、データベース作成装置６０へアップロードするかどうかを判断する。つまり、設定の変更内容を第２のデータベースにコピーするかどうかを判断する。データベース作成装置６０へアップロードするのであれば、作業員によって、ディップスイッチＳＷ１が手動でオンにされ、メモリカードＭＣ１が取り外し可能な状態になり、メモリカードＭＣ１が取り外される。このときに、ＭＣＵ基板２０は、メモリカードＭＣ１の着脱状態を監視し（ディップスイッチＳＷ１のオンオフ状態を監視し）、メモリカードＭＣ１が取り外されていれば（ディップスイッチＳＷ１がオンであれば）、Ｓ６で、アップロード要求用アイコン５０を消去する。
【００４１】
Ｓ７で、作業員は、取り外したメモリカードＭＣ１を、データベース作成装置６０のスロットＳＬ２に差し込み、メモリカードＭＣ１に書き込まれている設定の変更部分を、第２のデータベースにアップロードする（第２のデータベースにコピーする）。Ｓ８で、作業員は、メモリカードＭＣ１を引き抜き、火災受信機ＲＥ１のスロットＳＬ１に差し込み、ディップスイッチＳＷ１を手動でオフする。
【００４２】
なお、着脱部（スロットＳＬ１）に、記憶媒体（メモリカードＭＣ１）が正常に装着されているときに、メモリカードＭＣ１から上記第１のデータベース等の各種データを読み出し、またはメモリカードＭＣ１に書き込みする制御手段が設けられ、また、上記着脱状態入力手段（ディップスイッチＳＷ１）が設けられ、上記制御手段は、メモリカードＭＣ１が上記着脱部から取り外されているとき（ディップスイッチＳＷ１がオンであるとき）には、データの読み書きを行わない。
【００４３】
また、制御手段は、メモリカードＭＣ１の取り外しが解消されたこと（ディップスイッチＳＷ１がオンからオフに切り替わったこと）を認識すると、メモリカードＭＣ１に格納されている第１のデータベースを読み込む。
【００４４】
データベース作成装置６０に格納されている第２のデータベースを作成するときに、メモリカードＭＣ１をスロットＳＬ２に挿入し、入力部６１を介してデータを入力し、入力部６１から入力されたデータに基づいて、データベース作成部６３がデータベースを作成し、メモリカードＭＣ１と記憶部６４とに書き込む。つまり、メモリカードＭＣ１には、第１のデータベースが格納される。
【００４５】
火災受信機ＲＥ１は、メモリカードＭＣ１と、スロットＳＬ１と、データベース変更手段として、盤面操作手段として機能するタッチパネルＴＰとして作用するＬＣＤ３０と、ＭＣＵ基板２０と、報知手段としてのＬＣＤ３０とを備える。また、ＭＣＵ基板２０は、制御手段でもある。
【００４６】
盤面操作によって変更することができるデータベースの設定内容は、たとえば、プリンタＰＲ１の印字の方向（正立または倒立）と、スピーカＳＰ１による音響の有無と、ＬＣＤ３０における地区表示の際に表示されるオプションメッセージとである。また、これらは「重要な設定内容」であり、これらが変更されると、アップロード要求用アイコン５０を、ＬＣＤ３０に表示する。
【００４７】
また、自動試験の日時等の設定を変更することができるが、自動試験日時設定等は、「重要な設定内容」ではないので、これらが変更されても、アップロード要求用アイコン５０は表示されない。
【００４８】
メモリカードＭＣ１が取り外されていること（メモリカードＭＣ１がスロットＳＬ１から引き抜かれていること）を認識させるディップスイッチＳＷ１がオンされると、データベース作成装置６０側の第２のデータベースへのアップロードを行うことに備えてメモリカードＭＣ１が火災受信機ＲＥ１から既に取り外されていると判断し、アイコン５０を消去する。
【００４９】
メモリカードＭＣ１着脱の際に、ディップスイッチＳＷ１をオンすることによって、ＭＣＵ基板２０によるデータの読み書きが行われないので、メモリカードＭＣ１のデータ破損を防止することができる。
【００５０】
また、実施例１では、メモリカードＭＣ１をスロットＳＬ１から取り出すときに、火災受信機ＲＥ１自体の電源をオフしない。したがって、実施例１では、火災受信機ＲＥ１からメモリカードＭＣ１を取り出しても、火災監視が通常通り行われるので、火災の未監視状態にはならない。
【００５１】
取り外されたメモリカードＭＣ１が、データベース作成装置６０のスロットＳＬ２に取り付けられ、メモリカードＭＣ１内の第１のデータベースにおける変更された設定内容が記憶部６４（たとえばハードディスク）に格納されている第２のデータベースにアップロードされる。
【００５２】
ここで、データベース作成装置６０を介して第２のデータベースの設定内容が既に変更されていれば、引き続いて第２のデータベースをメモリカードＭＣ１内の第１のデータベースに上書きすることによって、データベース作成装置６０を介して変更された設定内容が、メモリカードＭＣ１に格納されている第１のデータベースに書き込まれ、更新される。
【００５３】
その後、メモリカードＭＣ１を火災受信機ＲＥ１に取り付け、ディップスイッチＳＷ１をオフしたときに、データベース作成装置６０を介して変更された設定内容が火災受信機ＲＥ１で反映される。
【００５４】
実施例１では、データベース作成装置６０に格納されている第２のデータベースを変えずに、盤面操作によって設定変更できるので、設定を直ぐに変更することができ、また、火災受信機ＲＥ１の設定を変更する作業が容易である。
【００５５】
また、実施例１によれば、既に運用している物件において、データベース作成装置６０を使用せずに設定変更した場合（盤面で設定変更した場合）、アップロード要求用アイコン５０がＬＣＤ３０に表示されるので、設定内容が変更された旨をユーザに早期に通知することができる。そして、データベース作成装置６０に格納されているデータベースとの整合を促すことができる。
【００５６】
実施例１では、火災受信機ＲＥ１の電源を落とさず（物件によって電源をオフできない状況がある）に、メモリカードＭＣ１を取り外し、データベース作成装置６０側へ設定の変更内容をコピーすることができる。
【００５７】
なお、変更内容の確認を望む場合、履歴リストを表示し、この履歴リストを見れば、変更内容を確認することができる。
【００５８】
印字の方向を変更するとき等に、盤面入力し、設定を変更し、この設定変更の情報はメモリカードＭＣ１のデータベースに書き込まれているが、データベース作成装置６０に格納されている第２のデータベースには、書き換えが行われていない。つまり、メモリカードＭＣ１に設けられている第１のデータベースにおける設定内容と、データベース作成装置に設けられている第２のデータベースにおける設定内容とが整合されていない。
【００５９】
実施例１によれば、メモリカードＭＣ１が抜かれるまでＬＣＤ３０にアップロード要求用アイコン５０が表示されるので、ユーザがアップロードする操作を早期に実行する機会が生まれ、ユーザが早期にアップロードすれば、メモリカードＭＣ１に設けられている第１のデータベースにおける設定内容と、データベース作成装置に設けられている第２のデータベースにおける設定内容とを、早期に整合させることができる。
【００６０】
つまり、実施例１によれば、盤面から設定内容を変更できるので設定を直ぐに変更することができ、しかも、メモリカードＭＣ１に設けられている第１のデータベースにおける設定内容と、データベース作成装置に設けられている第２のデータベースにおける設定内容とを、早期に整合させることができる。
【００６１】
また、第２のデータベースを利用してデータベース作成装置で第１のデータベースを設定変更しようとするときに、ＬＣＤ３０にアイコン５０が表示されていれば、第１および第２のデータベースの整合が取れていないことが理解できる。
【００６２】
上記実施例において、アイコン５０は、スロットＳＬ１からメモリカードＭＣ１が取り外されたときに消去されるが、メモリカードＭＣ１が取り外され、その取り外されたメモリカードＭＣ１がスロットＳＬ１に再挿着されたときに消去するようにしてもよい。これによって、メモリカードＭＣ１を火災受信機ＲＥ１に再挿着するまでの、第２のデータベースにアップロードするための全作業が完了したことがわかる。
【００６３】
上記実施例において、アップロード要求報知手段をアップロード要求用アイコン５０としたが、アイコン以外の表示、音響等、その他のアップロード要求報知手段とすることもできる。そして、アイコン以外の表示、音響等、その他のアップロード要求報知手段は、スロットＳＬ１からメモリカードＭＣ１が取り外されたときに、または、メモリカードＭＣ１が取り外され、その取り外されたメモリカードＭＣ１が再挿着されたときに、報知を停止する。
【００６４】
上記実施例において、ＭＣＵ基板２０は、ディップスイッチＳＷ１のオンオフによってメモリカードＭＣ１の着脱状態が入力され、その入力によってメモリカードＭＣ１の着脱状態を監視するが、ディップスイッチＳＷ１以外の着脱状態入力手段でもよい。また、スロットＳＬ１の挿入開口にメモリカードＭＣ１の着脱によってオンオフする接点スイッチを設ける等、メモリカードＭＣ１の着脱状態を検出する着脱状態検出部を設け、その検出結果の入力によって、ＭＣＵ基板２０がメモリカードＭＣ１の着脱状態を監視するようにしてもよい。
【図面の簡単な説明】
【００６５】
【図１】本発明の実施例１である火災受信機ＲＥ１を示すブロック図である。
【図２】実施例１においてアップロード要求の動作を示すフローチャートである。
【図３】実施例１におけるＬＣＤ３０の表示例を示す図である。
【図４】データベース作成装置６０を示すブロック図である。
【図５】アップロード要求用アイコン５０の例を示す図である。
【符号の説明】
【００６６】
ＲＥ１…火災受信機、
２０…ＭＣＵ基板、
３０…ＬＣＤ／ＴＰ、
ＭＣ１…メモリカード、
ＳＬ１…スロット、
ＳＷ１…ディップスイッチ、
５０…アップロード要求用アイコン、
６０…データベース作成装置、
ＳＬ２…スロット、
６１…入力部、
６２…表示部、
６３…データベース作成部、
６４…記憶部。
【図１】
2007316796.tif 000003
【図２】
2007316796.tif 000004
【図３】
2007316796.tif 000005
【図４】
2007316796.tif 000006
【図５】
2007316796.tif 000007